(57)【要約】【課題】荷物を置く場所の自由度が高い椅子用荷受台を提供すること。【解決手段】本発明の椅子用荷受台１は、荷物を載置可能な荷受台本体１０と、荷受台本体１０を水平方向に回転自在となるように支持するとともに、椅子１００に対して水平方向に回転自在となるように支持される連結アーム２０と、連結アーム２０を椅子１００に対して水平方向に回転自在となるように連結して支持する連結部材３０とを、備える。【選択図】図２
2017205241.tif 000002
【特許請求の範囲】
【請求項１】
椅子用荷受台において、
荷物を載置可能な荷受台本体と、
前記荷受台本体を水平方向に回転自在となるように支持するとともに、椅子に対して水平方向に回転自在となるように支持される連結アームと、
前記連結アームを前記椅子に対して水平方向に回転自在となるように連結して支持する連結部材とを、備えることを特徴とする椅子用荷受台。
【請求項２】
前記荷受台本体は、載置板と、当該載置板の上面より上に突出する取っ手と、を備えることを特徴とする請求項１に記載の椅子用荷受台。
【請求項３】
前記連結アームは、全体が略Ｓ字形状であることを特徴とする請求項１又は請求項２に記載の椅子用荷受台。
【請求項４】
前記連結部材は、前記椅子に対して着脱自在に取り付けられることを特徴とする請求項１から請求項３のいずれか１項に記載の椅子用荷受台。
【請求項５】
請求項１から請求項４のいずれか１項に記載の椅子用荷受台を備える椅子。
【発明の詳細な説明】
【技術分野】
【０００１】
本発明は椅子用荷受台に関する。
【背景技術】
【０００２】
従来、椅子を使用する際にカバン等の荷物を置くため、椅子に荷受台が設けられ、その荷受台が、不使用時には椅子の座面の下に収容され、使用時には引き出されて、荷物を置けることが開示されている（特許文献１−４参照）。
【先行技術文献】
【特許文献】
【０００３】
【特許文献１】登録実用新案第３０５７６８５号公報
【特許文献２】特許第２８９８９０５号公報
【特許文献３】特開２００５−３２３９８５号公報
【特許文献４】特開２００９−２７９０５１号公報
【発明の概要】
【発明が解決しようとする課題】
【０００４】
しかしながら、特許文献１に開示された椅子に設けられた荷受台（トレイ）は、椅子に対して１つの枢軸を介して水平方向に回転することしかできず、荷受台の移動範囲が限られるので、荷物を置く場所に制限があるという問題がある。
また、特許文献２−４に開示された椅子に設けられた荷受台（支持台、載置台、補助板）は、椅子に対して一方向にスライドすることしかできず、荷受台の移動範囲が限られるので、同じく、荷物を置く場所に制限があるという問題がある。
【０００５】
本発明は、上記事情に鑑みてなされたものであり、荷物を置く場所の自由度が高い椅子用荷受台を提供することを目的とする。
【課題を解決するための手段】
【０００６】
本発明は、上記目的を達成するために、以下の構成によって把握される。
（１）本発明の椅子用荷受台は、荷物を載置可能な荷受台本体と、前記荷受台本体を水平方向に回転自在となるように支持するとともに、椅子に対して水平方向に回転自在となるように支持される連結アームと、前記連結アームを前記椅子に対して水平方向に回転自在となるように連結して支持する連結部材とを、備える。
【０００７】
（２）上記（１）の構成において、
前記荷受台本体は、載置板と、当該載置板の上面より上に突出する取っ手と、を備える。
【０００８】
（３）上記（１）及び（２）のいずれかの構成において、
前記連結アームは、全体が略Ｓ字形状である。
【０００９】
（４）上記（１）から（３）のいずれかの構成において、
前記連結部材は、前記椅子に対して着脱自在に取り付けられる。
【００１０】
（５）上記（１）から（４）のいずれかの構成の椅子用荷受台を備える椅子。
【発明の効果】
【００１１】
本発明によれば、荷物を置く場所の自由度の高い椅子用荷受台を提供することができる。
【図面の簡単な説明】
【００１２】
【図１】第１の実施形態における椅子用荷受台を備える椅子を示す斜視図である。
【図２】椅子用荷受台を備える椅子の背面図である。
【図３】椅子用荷受台を備える椅子の平面図である。
【図４】椅子用荷受台を備える椅子の側面図である。
【図５】荷受台本体の詳細図である。
【図６】連結アームの詳細図である。
【図７】連結部材の詳細図である。
【図８】第２の実施形態における椅子用荷受台を示す図である。
【発明を実施するための形態】
【００１３】
（第１の実施形態）
以下、本発明を実施するための第１の形態(以下、「第１の実施形態」という)を、詳細に説明する。
図１は第１の実施形態の椅子用荷受台を備える椅子を示す斜視図であり、図２は椅子用荷受台を備える椅子の背面図であり、図３は椅子用荷受台を備える椅子の平面図であり、図４は椅子用荷受台を備える椅子の側面図である。
【００１４】
図１（ａ）には、椅子用荷受台１が取り付けられた椅子１００が例示されている。
椅子１００は、商談等のための会議室で使用されるものや、和食処等のレストランで使用されるものであり、スチール製のパイプを加工して形成された脚部１０１を備えたフレームに、座面１０２と背もたれ１０３を設けたものである。
椅子用荷受台１は、椅子１００の脚部１０１に取り付けられ、椅子１００の座面１０２の下に収納される。
そして、使用者が椅子を使用する際、荷受台本体１０を、図１（ａ）の収納状態から図１（ｂ）の使用状態になるように引き出すことで、荷受台本体１０の上に荷物を置くことができる。
なお、図２及び図３において、２点鎖線で示された部分は、椅子用荷受台１の収納状態を示す。
図４（ａ）に示すように、椅子用荷受台１は、荷物を載置可能な荷受台本体１０と、荷受台本体１０を水平方向に回転自在となるように支持するとともに、椅子１００に対して水平方向に回転自在となるように支持される連結アーム２０と、連結アーム２０を椅子１００に対して水平方向に回転自在となるように連結して支持する連結部材３０とを備える。
以下、椅子用荷受台１が備える各部について個別に説明する。
【００１５】
（荷受台本体）
図５（ａ）は円形の荷受台本体１０の平面図を示し、図５（ｂ）は荷受台本体１０の側面図を示す。
図５（ａ）に示すように、荷受台本体１０は、載置板１１と、載置板１１の上面より上に突出するとともに、椅子１００の少なくとも一部に当接自在な取っ手１２と、後述する連結アーム２０の一端に形成された荷受台本体側軸２１を、荷受台本体１０が水平方向に回転自在となるように嵌合する穴１３を備える。
【００１６】
載置板１１は、荷物が載置されるものであり、少なくとも荷物の重さによる荷重によって過度の変形や損傷が生じないような所定の強度及び剛性を有する。載置板１１の材質としては、木製、スチール製又は樹脂製等が採用される。
取っ手１２は、載置板１１の上面に設けられ、載置板１１の上面より上に突出するものであり、荷物の把持部が掛けられて横方向に力がかかる場合を想定して、所定の剛性を有するものとし、椅子１００を構成するフレームの側部等に当接する機能を持たせる場合は、当接の衝撃によって倒れない程度の剛性を有するものとする。
【００１７】
荷受台本体１０が取っ手１２を備えることにより、使用者がその取っ手１２に対して水平方向に力を加えることで、載置板１１を座面１０２の下から簡単に引き出すことができる。
また、荷受台本体１０の取っ手１２が載置板１１の上面より上に突出することにより、荷物に設けられた把持部やフックを取っ手１２に引っ掛けることで、荷物を載置板１１の上に載置することなく荷物を保持することができる。
さらに、荷受台本体１０の取っ手１２が椅子１００の少なくとも一部に当接自在にした場合は、取っ手１２と椅子１００とが当接する位置にて載置板１１の収納位置と取っ手１２の位置を規定することができる。よって、載置板１１が座面１０２の下に潜り込んでしまい、引き出しが困難となることがない。
また、収納状態での取っ手１２の位置が椅子１００の側部に沿って配置されるので、使用者が座った状態における手の位置と近くなり、引き出し動作がし易くなる。
【００１８】
なお、取っ手１２は載置板１１に対して所望の接合方式で取り付けられるが、取っ手１２と載置板１１とを一体成形してもよい。荷物を置く面積をより広く確保するため、取っ手１２は載置板１１の側面から載置板１１の上面より上に突出するものであってもよい。
さらに、載置板１１と荷受台本体側軸２１との隙間に、荷受台本体側軸２１に対して載置板１１を回転させたときのガタ防止等のためのブッシュや軸受等を設けてもよく、さらに、ブッシュや軸受等として、使用者が手で押すときの負担となることなく、荷受台本体１０の慣性力に抗って直ちに静止する程度の回転抵抗が付与されているものを採用してもよい。このようにすることで、外力が取り除かれれば荷受台本体１０はすぐに静止するので、使用者が手で押して連結アーム２０を水平方向に回転させて荷受台本体１０を所定の位置にすぐに配置できる。
【００１９】
（連結アーム）
図６（ａ）は連結アーム２０の平面図を示し、図６（ｂ）は連結アーム２０の側面図を示す。
図６（ｂ）に示すように、連結アーム２０は、荷受台本体１０に設けられた穴１３に嵌合された状態で、当該荷受台本体１０を水平方向に回転自在となるように軸支する荷受台本体側軸２１と、連結部材３０に設けられた穴３１ｈに嵌合された状態で、連結部材３０に対して水平方向に回転自在となるように支持される椅子側軸２２と、荷受台本体側軸２１と椅子側軸２２とを繋ぎ、水平方向に延在する水平部２３を備える。
また、図６（ｂ）に示すように、連結アーム２０は、全体が略Ｓ字形状であり、水平方向に延在する水平部２３に対して、荷受台本体側軸２１が上側に鉛直に設けられ、椅子側軸２２が下側に鉛直に設けられている。
【００２０】
連結アーム２０は、管部材を塑性加工して形成された管状体とすることができ、管状体とすることで、荷受台本体１０を支持するのに十分な剛性を確保できるとともに、軽量であるので、椅子用荷受台１をユニットとして搬送する際や、椅子用荷受台１を備える椅子１００を移動させる際等に、扱い易いものとすることができるが、管状体に限らず、荷受台本体１０を支持するのに十分な剛性を確保できれば、棒状体等の他の構造体を採用してもよい。
また、荷受台本体側軸２１の先端には、荷受台本体側軸２１が荷受台本体１０に設けられた穴１３に嵌合された状態を保持するためのフランジ２１ｆが設けられる。このフランジ２１ｆは、荷受台本体１０の穴１３に、管状の荷受台本体側軸２１を組み入れた後、その先端を広げるように加工することにより形成されてもよいし、その先端にナットを螺合することにより形成されてもよい。
同様に、椅子側軸２２の先端には、椅子側軸２２が連結部材３０に設けられた穴３１ｈに嵌合された状態を保持するためのフランジ２２ｆが設けられる。このフランジ２２ｆは、連結部材３０の穴３１ｈに、管状の椅子側軸２２を組み入れた後、その先端を広げるように加工してもよいし、その先端にナットを螺合することにより形成してもよい。
なお、水平部２３を異径の筒を重ね合わせたテレスコピック機構として伸縮自在とすることで、さらに、荷受台本体１０の移動範囲を拡げられるようにしてもよい。
【００２１】
連結アーム２０を上記のような略Ｓ字形状とすることにより、荷受台本体１０と連結アーム２０とが接触することなく、荷受台本体１０を荷受台本体側軸２１を中心に３６０度回転させることができるので、使用状態において荷受台本体１０を配置する自由度が高まる。
フランジ２１ｆを、管状の荷受台本体側軸２１を組み入れた後、その先端を広げるように加工することにより形成することで、部品の種類を低減することができる。
また、フランジ２１ｆを、管状の荷受台本体側軸２１を組み入れた後、その先端にナットを螺合することにより形成することで、荷受台本体１０と連結アーム２０と連結部材３０とを分解できるようになり、いずれかの部材が損傷したときに、その部材を交換して修理できる。
【００２２】
（連結部材）
図７（ａ）は連結部材３０の平面図を示し、図７（ｂ）は連結部材３０の側面図を示す。
図７（ａ）に示すように、連結部材３０は、連結アーム２０を支持する連結アーム支持部３１と、椅子１００に対して着脱自在に取り付けられる椅子取付部３２と、その着脱を可能とする締結部３３とを備える。
連結アーム支持部３１は、連結アーム２０における椅子側軸２２を嵌合する穴３１ｈを備え、その穴３１ｈの径は、連結アーム支持部３１に椅子側軸２２を嵌合した際に連結アーム支持部３１を中心とした連結アーム２０の回転を許容する程度に、椅子側軸２２の径よりも若干大きくなっている。
このような構成により、連結アーム支持部３１は、椅子側軸２２を穴３１ｈに嵌合した状態で、連結アーム２０を水平方向に回転自在となるように支持する。
また、椅子取付部３２は、脚部１０１を嵌合する穴３２ｈを備え、椅子取付部３２に脚部１０１を嵌合し、脚部１０１への着脱を自在とするため、その穴３２ｈは、脚部１０１の断面形状の略相似形状とし、その断面形状を包含するような大きい寸法となっている。
そして、椅子取付部３２には、スリット３２ｓが設けられているので、スリット３２ｓを拡げた状態で椅子取付部３２の穴３２ｈに脚部１０１を配置し、その状態から締結部３３により締結することでスリット３２ｓを狭めて、椅子取付部３２を脚部１０１にしっかりと固定できる。
締結部３３は、ボルト等の雄ねじ部３３ｍと、連結アーム支持部３１と椅子取付部３２の間に設けられた雌ねじ部３３ｆを備える。
そして、図７（ａ）に示すように、雄ねじ部３３ｍを雌ねじ部３３ｆに対して螺合することで、スリット３２ｓが狭められ、椅子取付部３２が脚部１０１に固定できる。
【００２３】
連結部材３０は、スリット３２ｓを拡げたり狭めたりすることで脚部１０１に対して着脱自在に取り付けられるものであるため、そのような変形の範囲域で弾性を有するスチール製等の金具を使用することが好ましい。
なお、上記の構成では、図７（ａ）に示すように、連結アーム支持部３１と椅子取付部３２を一体形成されたものとしたが、スリットを連結アーム支持部３１にも設けて、２分割されたものとしてもよい。
また、連結アーム支持部３１と椅子取付部３２との隙間に、連結アーム２０を回転させたときのガタ防止等のためのブッシュや軸受等を設けてもよく、さらに、ブッシュや軸受等として、使用者が手で押すときの負担となることなく、荷受台本体１０と連結アーム２０の慣性力に抗って直ちに静止する程度の回転抵抗が付与されているものを採用してもよい。このようにすることで、外力が取り除かれれば荷受台本体１０はすぐに静止するので、使用者が手で押して連結アーム２０を水平方向に回転させて荷受台本体１０を所定の位置にすぐに配置できる。
さらに、連結アーム２０における椅子側軸２２の外周の一部に突起を設けるとともに、椅子取付部３２の内周の一部に突起を設け、椅子側軸２２に対して連結アーム２０を所定の角度回転させたときに、それらの突起が係合することで、連結アーム２０の回転可能範囲を制限するようにしてもよい。
椅子取付部３２を取り付ける場所は、脚部１０１に限らず、座面１０２の側部や背もたれ１０３にあるフレームとしてもよい。
【００２４】
（第２の実施形態）
以下、本発明を実施するための第２の形態(以下、「第２の実施形態」という)を、詳細に説明する。
第２の実施形態における椅子用荷受台１と第１の実施形態における椅子用荷受台１との差異は、主に荷受台本体１０の平面形状であるので、以下では、その他の構成については説明を省略する場合がある。
【００２５】
図８（ａ）は第２の実施形態における荷受台本体１０の平面図であり、図８（ｂ）はその側面図であり、図８（ｃ）は椅子１００に取り付けられた椅子用荷受台１の使用状態と収納状態を示す図である。
図８（ａ）及び図８（ｂ）に示すように、荷受台本体１０は、平面視で略長方形の外形をなす載置板１１と、載置板１１の側面に設けられ、載置板１１の上面より上に突出する取っ手１２と、連結アーム２０の一端に形成された荷受台本体側軸２１を、荷受台本体１０が水平方向に回転自在となるように嵌合する穴１３を備える。
そして、図８（ｃ）において２点鎖線で示すように、荷受台本体１０の長辺の長さを連結アーム２０の長さと略等しくすることで、収納状態において、荷受台本体１０と連結アーム２０とが平面視で重ね合わされる面積が大きくなり、コンパクトに収納できる。
【００２６】
（作用及び使用方法）
次に、椅子用荷受台１を使用する際の椅子用荷受台１の作用及び使用方法を説明する。
事前に、図１（ａ）に示すように、椅子用荷受台１を脚部１０１に取り付け、取っ手１２が椅子１００の側部に沿うようにして、荷受台本体１０と連結アーム２０を座面１０２の下に収納する。
この際、荷受台本体１０と連結アーム２０と連結部材３０が組み立てられた状態のユニットを用意して、そのユニットを脚部１０１に取り付けてもよいし、脚部１０１に連結部材３０を取り付けてから、連結部材３０に連結アーム２０と荷受台本体１０を取り付けてもよい。
そして、荷物を持った使用者が椅子１００に座る際は、使用者が椅子１００に座った状態で取っ手１２を握るか軽く触れながら、椅子１００から離れる方向の水平方向に軽い力を加えると、図３に示すように、荷受台本体１０の移動に連れて、椅子１００に取り付けられた連結部材３０を中心にして、連結アーム２０が椅子１００から離れる方向の水平方向（図３における反時計回り）に回転する。
連結アーム２０を回転させて荷受台本体１０を引き出した状態で、さらに、連結アーム２０の回転とは別に、連結アーム２０を中心にして、荷受台本体１０を水平方向に自在に回転させることもできる。
なお、取っ手１２を握ったまま荷受台本体１０を平行移動することもできるので、取っ手１２を握った手がねじられることがなく、簡単に荷受台本体１０を移動できる。
所望の位置に荷受台本体１０を移動させ、取っ手１２に加えていた力を取り除くと、荷受台本体１０が静止する（図１（ｂ）に示す状態となる）ので、この上に荷物を置くことができる。
また、荷物を持って使用者が椅子１００から離れる際は、荷受台本体１０から荷物を取り、取っ手１２に対して椅子１００に近づく方向に軽い力を加えると荷受台本体１０が椅子１００に向けて移動し、取っ手１２が椅子１００の側面に当接するところで移動が制限されたと同時に、荷受台本体１０が座面１０２の下の空間に収納される（図１（ａ）に示す状態となる）。
【００２７】
以上、本発明を実施形態に基づき説明したが、本発明は実施形態に限定されるものではない。
図１から図４及び図８に示された椅子１００は、左側の脚部１０１に椅子用荷受台１を取り付けたものであるが、椅子用荷受台１は右側の脚部１０１に取り付けてもよく、左側及び右側の両側に取り付けてもよい。
また、図２に示された椅子用荷受台１は、連結部材３０を脚部１０１の上部に設けたものであるが、下部に設けてもよい。このようにすることで、高さのある荷物を荷受台本体１０に置いたまま、荷受台本体１０を座面１０２の下に収納することができる。
【００２８】
本発明によれば、荷受台本体１０が連結アーム２０に対して回転自在となるように支持されるとともに、連結アーム２０も椅子１００に対して回転自在となるように支持されるので、水平回転軸が２つとなり、使用状態において、荷受台本体１０を椅子１００の側方の遠くまで配置することや、椅子１００の前方や後方に移動することもでき、椅子１００を中心として荷受台本体１０を配置する領域が広くなり、利便性が高まる。
また、水平回転軸が２つであるため、収納状態において、荷受台本体１０と連結アーム２０を重ねるようにしてコンパクトに収納でき、座面の下の空間を有効利用できる。
さらに、水平回転軸が２つであるため、使用者が取っ手を持った状態で荷受台本体１０を水平方向に平行移動することができるため、使用者の手への負担を低減できる。
荷受台本体１０の取っ手が、椅子１００に対する荷受台本体１０の移動を制限するストッパーの機能を兼ね備えるので、取っ手が座面の下に潜りこむことなく、収納状態における取っ手と荷受台本体１０の位置が定まるので、使用時に引き出し易くなり、利便性が高まる。
連結アーム２０が、全体が略Ｓ字形状であり、連結アーム２０に対して荷受台本体を水平方向に自在に回転できるので、荷受台本体１０と連結アーム２０を平面視において重ね合わせることで、椅子用荷受台１をコンパクトに収納できる。
連結部材３０が椅子１００に対して着脱自在に取り付けられるので、荷受台本体１０と連結アーム２０と連結部材３０とをユニットとして組み立てておくことができ、既存の椅子１００に対する後付を容易にできる。
【００２９】
本発明は、その要旨を逸脱しない範囲での種々の変更が可能であり、そのような種々の変更を行ったものも本発明の技術的範囲に含まれることは、当業者にとって、特許請求の範囲の記載から明らかである。
【符号の説明】
【００３０】
１      椅子用荷受台
１０    荷受台本体
１１    載置板
１２    取っ手
１３    穴
２０    連結アーム
２１    荷受台本体側軸
２１ｆ  フランジ
２２    椅子側軸
２２ｆ  フランジ
２３    水平部
３０    連結部材
３１    連結アーム支持部
３１ｈ  穴
３２    椅子取付部
３２ｈ  穴
３２ｓ  スリット
３３    締結部
３３ｆ  雌ねじ部
３３ｍ  雄ねじ部
１００  椅子
１０１  脚部
１０２  座面
１０３  背もたれ
【図１】
2017205241.tif 000003
【図２】
2017205241.tif 000004
【図３】
2017205241.tif 000005
【図４】
2017205241.tif 000006
【図５】
2017205241.tif 000007
【図６】
2017205241.tif 000008
【図７】
2017205241.tif 000009
【図８】
2017205241.tif 000010
【手続補正書】
【提出日】平成29年7月24日(2017.7.24)
【手続補正１】
【補正対象書類名】特許請求の範囲
【補正対象項目名】全文
【補正方法】変更
【補正の内容】
【特許請求の範囲】
【請求項１】
椅子用荷受台であって、
荷物を載置可能な載置板と前記載置板に設けられる取っ手を有する荷受台本体と、
前記荷受台本体を水平方向に回転自在となるように支持するとともに、椅子に対して水平方向に回転自在となるように支持される連結アームと、
前記連結アームを前記椅子に対して水平方向に回転自在となるように連結して支持する連結部材と、を備え、
前記取っ手は、前記載置板の上面から上側に突出して設けられ、前記載置板を前記椅子の座面の下側に納めるときに、前記取っ手を前記座面の横に当接できるようにしたことを特徴とする椅子用荷受台。
【請求項２】
前記連結アームは、前記荷受台本体を支持し、前記連結部材を介して前記椅子に支持された場合に、正面視において、略Ｓ字形状を呈することを特徴とする請求項１に記載の椅子用荷受台。
【請求項３】
前記連結部材は、前記椅子に対して着脱自在に取り付けられることを特徴とする請求項１又は請求項２に記載の椅子用荷受台。
【請求項４】
請求項１から請求項３のいずれか１項に記載の椅子用荷受台を備える椅子であって、
前記椅子用荷受台は前記連結部材を介して前記椅子の前記座面よりも下方である脚部に取り付けられており、
前記取っ手を前記座面の横に当接させるようにして、前記載置板を前記椅子の座面の下側に納めることが可能であることを特徴とする椅子。
【請求項５】
前記連結部材は、上下移動可能に前記脚部に取り付けられていることを特徴とする請求項４に記載の椅子。